(57)【要約】      （修正有）【課題】遮蔽性・耐久性に加え、耐震性・防水性機能は無論のこと、人や物資の安全かつ容易で迅速な避難移動を可能にした防災地下シェルターを提供する。【解決手段】地上面ＧＬから掘り込まれた埋設ピット２内に居住区画となるシェルタードッグユニット１を設置する。シェルタードッグユニット１の地上出入口棟３と地下シェルタードッグ１の地下出入口１０との間にパンタグラフ式の油圧リフト機構エレベーター５を設けると共に、エレベーター５を駆動させる蓄電バッテリー９を設ける。【選択図】図１
2020090876.tif 000002
【特許請求の範囲】
【請求項１】
地上面から掘り込まれた埋設ピット内に設置されるシェルタードッグユニットと、当該シェルタードッグユニット地上出入口と地下シェルタードッグ地下出入口との間にエレベーターを設けると共に、当該エレベーターを駆動させる蓄電バッテリーを設けたことを特徴とする防災地下シェルター。
【請求項２】
前記エレベーターがパンタグラフ式の油圧リフト機構であることを特徴とする請求項１記載の防災地下シェルター。
【請求項３】
蓄電池の全電力消費時又は商用電源の停電時に手動でクランクを回して空気濾過システムを作動させるバックアップ装置を設けたことを特徴とする請求項１又は請求項２記載の防災地下シェルター。
【発明の詳細な説明】
【技術分野】
【０００１】
本発明は、自然災害、有事災害の際に避難施設となる防災地下シェルターに関し、遮蔽性、耐久性に加え、耐震性、防水性、機能性及び安全性に優れた防災地下シェルターに関するものである。
【背景技術】
【０００２】
従来から地下シェルターや地下室について様々なものが提案されている。地下シェルターは、爆風や爆風による衝撃波、振動、放射線、ダスト、ガス、火災及び熱、電磁波などに対して、建設コストや地盤条件等に適合する形で、これらによる内部への影響を最小限に留めることが求められる。
【０００３】
とくに防災地下シェルターでは、想定される外部からの様々な危険要素に対して内部の人や物品を安全に保護することが第一目的であり、剛健で居住機能性に優れ、各危険要素に対する科学的な防護構造を必要とする。
一方、地下に空間を設けることについて共通する地下室は、オーディオルーム、音楽レッスン室、居間、寝室など、趣味や娯楽用の居室としての利用が多く、住宅用地下室としての法的条件を満たす構造の範囲内でより短い工期でより安価に構築できることが望まれる。
【０００４】
例えば、特許文献１に記載された地下シェルターの本体構造は、地中に打ち込んだ複数の杭に支持された耐圧盤上に防止塗膜を形成し、その上に高強度コンクリートからなるボックス状のシェルター内殻と耐力間仕切壁を設け、このシェルター内殻の底面を除く壁及び天井面である外表面を鉄板からなるシェルター外殻で覆い、さらに鉄板の外表面を防水塗膜で覆いシェルター内殻の底面と耐圧盤との間の防水塗膜とを一体的にして被覆した構造とされている。
【０００５】
特許文献２に記載された地下室の本体構造は、形鋼などの芯材の外表面に金属板が固定され、内部側には非金属系内板が固定された床、壁、天井パネルを、短辺方向は門形ラーメン構造、長辺方向は耐震壁構造として組み立ててボックス状のユニットとし、このユニットを複数設置接合した構造としている。この地下室は外表面全域を金属板とすることで、防水性、防湿性を確保し、また、該金属板の防錆対策としては該金属板の外表面全域を有機溶剤塗膜と合成樹脂塗膜及び合成樹脂モルタルで被覆した構造とされている。
【０００６】
このように、防災地下シェルターは、自然災害、有事災害に対しての避難空間として構築されるものである。したがって、その目的に応じた構造を採用することが肝要である。このため、シェルターを構成している各構成部分において、各々のシェルター独自の構成を工夫する必要があり、それは、地上入口と地下シェルターとの通路においても同様である。
【０００７】
すなわち、地下に埋設又は構築された居住区画となるシェルター本体との間を昇降するための梯子や階段は、狭小な昇降空間に設けられることが多いので、こうした昇降空間において、人や物品の安全かつ容易な移動を要する。
【０００８】
現在、地上出入口と地下シェルター本体との間を昇降するための装置として採用されている一般的な構成は、直線的又は螺旋的な階段や、垂直に移動する梯子の構成である。
【０００９】
例えば、地上出入口と地下シェルターとの間に設けられた複数の踊り場と、複数の昇降手段（タラップ）からなり、踊り場から次の踊り場へはタラップを利用して昇降し、複数の踊り場は互いに上下間隔が上の踊り場に置いた荷物を容易に取れる高さであり、各踊り場は上段の踊り場に対して起立可能なエリアを有するように設置し、タラップを急勾配に構成した地下シェルターの昇降装置が提案されている（特許文献３参照。）。
【００１０】
また、例えば、コンクリート製のシェルタードッグに連結した地下シェルターにおいて、シェルタードッグ内の内周寄りの床に固定された１本又は複数本のシェルターレールに沿って昇降駆動装置により上下移動ができる筐体を設けたものが提案されている（特許文献４参照。）。
【先行技術文献】
【特許文献】
【００１１】
【特許文献１】特開２００５−２４０２５２号公報
【特許文献２】特開平９−７８６０９号公報
【特許文献３】特開２０１５−１７３６７号公報
【特許文献４】特開２０１４−１１９８９８４号公報
【発明の概要】
【発明が解決しようとする課題】
【００１２】
すなわち、これらの文献に記載された地下シェルター又は地下室の構造について、遮蔽性・耐久性に加え、耐震性・防水性・機能性を追求したさらに安全性の高い地下シェルターとするためには、いくつかの課題があり、遮蔽性・耐久性に加え、耐震性・防水性・機能性について十分な性能を有しているものが望まれる。本発明は、遮蔽性・耐久性に加え、耐震性・防水性機能は無論のこと、人や物資の安全かつ容易で迅速な避難移動を可能にした防災地下シェルターを提供することを目的とする。
【課題を解決するための手段】
【００１３】
そこで、本発明の防災地下シェルターは、地上面から掘り込まれた埋設ピット内に設置されるシェルタードッグユニットと、当該シェルタードッグユニット地上出入口と地下シェルタードッグ地下出入口との間にエレベーター及び当該エレベーターを駆動させる蓄電バッテリーを設けたことを第１の特徴とする。また、前記エレベーターがパンタグラフ式リフト機構であることを第２の特徴とする。さらに、蓄電池の全電力消費時又は商用電源の停電時に手動でクランクを回して空気濾過システムを作動させるバックアップ装置を設けたことを第３の特徴とする。
【００１４】
地下シェルターは、施工性・経済性・地盤条件等に適合する形でできる限り深く設置し、その天井表面部に覆土することが望ましい。同時に高温多湿で地下水位が高い本邦では、確実な防水性・防湿性も要求され、合理的で耐久性の高いものとしなければならない。
【発明の効果】
【００１５】
以上のように構成した本発明は、以下の優れた効果がある。
（１）地上の出入口と地下に埋設された居住区画となるシェルタードッグとの狭小な昇降空間において、人や物資の安全かつ容易で迅速な避難移動を可能にする。
（２）平常時には、例えば、防音室としての書斎やオーディオルーム等のホビールームあるいは食料や飲料水の備蓄庫として使用することができ、しかも、地中に埋設されていて耐震性が高く水密性を備えているため、シェルタードッグ内への浸水を防止できる。
【図面の簡単な説明】
【００１６】
【図１】本発明に係る防災地下シェルターの一部破断した構造概念図である。
【発明を実施するための形態】
【実施例】
【００１７】
以下、本発明の実施形態による防災地下シェルターについて説明する。
図１に示すように、地上面ＧＬから掘削された埋設ピット２内に居住区画となるシェルタードッグ１が埋設されている。シェルタードッグ１は鋼鉄製の外壁板と補強リブ板等で囲まれた筐体構造で外表面に防錆塗装が施され、地中に埋設されることにより、外気から完全に遮断された安全な地下室空間を創出することができるようにされている。
【００１８】
本発明に係る地下シェルタードッグ１は、地上面ＧＬからおよそ５〜６ｍの深さの穴を掘り、底面部の整地を行った後、主に測量などの作業性を向上させるために均しコンクリートを打設してシェルター設置の準備を行う。その後、このシェルタードッグ１上面を土で埋め戻す。埋戻す際の覆土も地下シェルターにとっては重要な意味をもっており、火災による熱や放射線災害によるガンマ放射線の遮蔽性能も大幅に向上させることができる。
【００１９】
本発明に係る地下シェルターの出入口部の地上に突出した出入口棟３の構造は、シェルター建設予定地の浸水災害の可能性を含めた立地条件や、建設コストを含めた顧客の要望により選択される。標準仕様では、シェルタードッグ１と出入口部を設けた地上棟３があり、その出入口部には、爆風に伴う衝撃波・風圧・振動・放射線・爆弾の破片・ダスト・ガス・火災及び熱・電磁波・洪水に対し、内部を防護する性能を有する防水装甲ドア４が設けられており、あらゆる災害に対し万全の構造を図るようにされている。
【００２０】
出入口棟３の室内には、昇降装置としてのエレベーター５が設けられており、シェルタードッグ１の埋設深度に応じて昇降が設定されている。そして、出入口棟３とシェルタードッグ１とを隔てる耐力間仕切壁にも、中仕切りドア１０が設けられており、例えば、出入口棟３をエアロック室及び放射性物質などを排除する除染室として機能させることもできる。また、地下空間は、熱暑や寒波といった急激な温度の変化が起こった際にも、一定の室温を保ち、避難生活の際の体力の消耗や病気など、二次的な被害を防ぐことができる。
【００２１】
シェルタードッグ１内部を完全に密封すると、有害な物質が浸入する危険性は少なくなるが、酸素は時間の経過とともに減少する。そこで、通気ダクト１４を介して外気が取り込み可能な空気濾過清浄器１３により外気中の有害物質を除去しながら換気することができる。
この空気濾過清浄器１３は商用電力が供給されている場合は、スイッチを入れることで稼働させることができるが。停電等により商用電力が供給されない状況下では、蓄電池９を予備電源として使用できるようにされている。
【００２２】
蓄電池９は、商用電力が再供給されると自動的に充電状態に切り替わるが、長時間の停電によって蓄電池９の全電力を消費してしまうと、最終的なバックアップとして、手動でクランクを回して空気濾過清浄器１３を作動させることができるようにされている。この空気濾過清浄器１３に内蔵された濾過フィルターは、図示はしないが、複数層のプレフィルター、ＨＥＰフィルター、カーボンフィルターの順に外気を通過させ放射性物質等の人体に有害な物質を除去できるようにされている。また、空気濾過清浄器１３には、自動換気送風機が取り付けられており、平常時にはシェルタードッグ１内部の空気を換気することにより、湿気を軽減し、カビ等の発生を防ぐことができるようにされている。
【００２３】
次に、エレベーター（搭乗ボックス６を昇降させるリフト機構）５について説明する。リフト機構５は、基台７の上面に設けられる。リフト機構５は、油圧ポンプ８によって駆動する複数段式のパンタグラフ５ａで構成されている。すなわち、交差して連結したアーム部材５ｂを複数段に設けた構造となっており、複数のアーム部材５ｂを長手方向略中央部で両者を回動可能に軸支され側面視「Ｘ」字状に配置している。
【００２４】
また、下側のアーム部材５ｂの上端と上側のアーム部材５ｂの下端とは回動可能に軸支されており、交差するアーム部材５ｂの傾斜角を大きくすることにより、パンタグラフ５ａが上方向へ伸長する。下側のアーム部材５ｂのうちの一方の下端は基台７に固定された回動軸（図示せず）に軸支されている。そして、下側のアーム部材５ｂのうちもう他方の下端は転動輪（図示せず）が設けられており、基台７上のレールに沿って前後方向に移動できるようにされている。
【００２５】
また、上側のアーム部材５ｂの上端を付勢部材（例えば油圧シリンダー）によって連結している。付勢部材は、常時機体内側方向（パンタグラフを上昇させる方向）付勢力が働くように配置されている。このように構成することにより、搭乗ボックス６が下降する方向にかかる力（重力）に抗する力を常時与えることができ、駆動装置が搭乗板を上昇又は下降するときに要する力を軽減し、消費電力を節約することができる。
【００２６】
出入口棟３の内壁及び外側壁には、地上から地下に渡って、はしご状の内部非常用タラップ１２と外部非常用タラップ１１が設けられている。そして、出入棟３の屋上には、内部非常用タラップ１２の非常用ハッチ１５及びその開閉蓋１５ａ、バッテリー充電用ソーラーパネル１６、テレビアンテナ１７及び外部監視カメラ１７ａが搭載されている。
【００２７】
シェルタードッグ１の居住区画は耐力間仕切壁で隔てられている。また、備品庫としての床下収納室１８及び開閉ハッチ１８ａが設けられており、防災用品や飲料水、食料品の備蓄ができるようにされている。居住空間として使用する場合、ベッド１９、簡易トイレ２０、テレビ及びソファー２２等の任意の家具を設置することができる。
【産業上の利用可能性】
【００２８】
以上、説明は本発明を個人用地下シェルターとして使用する場合について述べたが、公用地下シェルター、研究施設用地下シェルター、その他、コンピューター機器防護地下シェルター・地下金庫・地下倉庫など、必要に応じて様々な用途に適用することができる。また、オーディオルーム、音楽レッスン室、居間、寝室など、趣味や娯楽用の居室として利用できる。
【符号の説明】
【００２９】
１    シェルタードッグ
２    埋設ピット
３    出入口棟
４    防水装甲ドア
５    エレベーター（パンタグラフ式リフト機構）
５ａ  パンタグラフ
５ｂ  アーム部材
６    昇降ボックス（搭乗筐体）
６ａ  エレベータースイッチ
７    エレベーター基台
８    油圧ポンプ
９    蓄電バッテリー
１０  中仕切ドア
１１  外部非常用タラップ
１２  内部非常用タラップ
１３  空気濾過清浄器
１４  通気ダクト
１５  非常用ハッチ
１５ａ開閉蓋
１６  バッテリー充填用ソーターパネル
１７  テレビアンテナ
１７ａ外部監視カメラ
１８  床下収納庫
１８ａ収納庫開閉ハッチ
１９  ベッド
２０  簡易トイレ
２１  テレビ
２２  ソファー
【図１】
2020090876.tif 000003